(57)【要約】【課題】捺印力が軽減できるとともに均一で鮮明な印影が得られる印鑑を提供する。【解決手段】印字が刻印される印面１１１ａを有する剛体製印面部材１１と、一端に印面部材が装着される開口部１２１を有する筒状印鑑本体１２と、印鑑本体の他端に固定されて筒状印鑑本体の内部に延在するとともに、印面部材を印鑑本体の軸方向に移動可能に支持するスライド用支柱１３と、印鑑本体と印面部材との間に介装されて、少なくとも捺印時において印面部材を印鑑本体から突出する方向Ｘに付勢する弾性部材１４とを備える。【選択図】  図１
2005007803.tif 000002
【特許請求の範囲】
【請求項１】
印字が刻印される印面（１１１ａ）を有する剛体製印面部材（１１）と、
一端に前記印面部材が装着される開口部（１２１）を有する筒状印鑑本体（１２）と、
前記印鑑本体の他端に固定されて筒状印鑑本体の内部に延在するとともに、前記印面部材を印鑑本体の軸方向に移動可能に支持するスライド用支柱（１３）と、
前記印鑑本体と前記印面部材との間に介装されて、少なくとも捺印時において前記印面部材を前記印鑑本体から突出する方向（Ｘ）に付勢する弾性部材（１４）と、
を備えたことを特徴とする印鑑。
【請求項２】
前記印面部材（１１）は、印字が刻印される印面（１１１ａ）を有する印面台（１１１）と、当該印面台に固定されるとともに前記スライド用支柱に係合する印面台保持部材（１１２）とを備え、前記弾性部材（１４）は、前記印鑑本体の他端の内壁（１２２）と前記印面台保持部材との間に介装される請求項１記載の印鑑。
【請求項３】
前記印鑑本体の一端に、前記印面部材を覆うように装着されるキャップ（１５）をさらに備えたことを特徴とする請求項１または２記載の印鑑。
【請求項４】
前記キャップの先端に、朱肉が内蔵された朱肉台（１６）が着脱可能に設けられていることを特徴とする請求項３記載の印鑑。
【発明の詳細な説明】
【０００１】
【技術分野】
本発明は、印鑑に関し、特に捺印力が軽減でき均一で鮮明な印影が得られる印鑑に関する。
【０００２】
【背景技術】
朱肉を用いて捺印する印鑑は、象牙、水牛、柘植などの原材料の印面部分に印字を刻印することにより製造され、また、こうした朱肉を用いる印鑑は印鑑ケースなどに入れて保管・携帯されるのが一般的である。
【０００３】
ところで、印面が剛体からなるこの種の印鑑では、捺印する際に均一な印影を得るのが難しいことが少なくない。このため、捺印する紙の下に柔軟性を有する捺印マットなどを敷いて捺印することが行われている。
【０００４】
しかしながら、捺印マットなどを敷いて捺印することはたいへん煩わしく、捺印マットをその都度携帯しなければならないといった煩わしさもある。また、印面が剛体からなる印鑑を捺印する場合にはかなり大きな捺印力が必要とされるので、腕力のない使用者にとっては均一で鮮明な印影を得ることは難しいといった問題もある。
【０００５】
【発明の開示】
本発明は、捺印力が軽減できるとともに均一で鮮明な印影が得られる印鑑を提供することを目的とする。
【０００６】
上記目的を達成するために、本発明によれば、印字が刻印される印面（１１１ａ）を有する剛体製印面部材（１１）と、一端に前記印面部材が装着される開口部（１２１）を有する筒状印鑑本体（１２）と、前記印鑑本体の他端に固定されて筒状印鑑本体の内部に延在するとともに、前記印面部材を印鑑本体の軸方向に移動可能に支持するスライド用支柱（１３）と、前記印鑑本体と前記印面部材との間に介装されて、少なくとも捺印時において前記印面部材を前記印鑑本体から突出する方向（Ｘ）に付勢する弾性部材（１４）と、を備えたことを特徴とする印鑑が提供される。
【０００７】
本発明では、印字が刻印された印面を有する印面部材と印鑑本体との間に弾性部材が介装されているので、捺印時においては弾性部材の弾性力が捺印力となって作用する。これにより、小さな力で押しても大きな捺印力が加わり、捺印マットなどを敷かなくても、均一かつ鮮明な印影を得ることができる。
【０００８】
【発明の実施の形態】
以下、本発明の実施形態を図面に基づいて説明する。
図１は本発明の実施形態に係る印鑑を示す分解斜視図、図２は同じく印鑑の中央縦断面図、図３は同じく印鑑の捺印時における中央縦断面図である。
【０００９】
本実施形態の印鑑１は、印面部材１１、印鑑本体１２、スライド用支柱１３、弾性部材１４、キャップ１５及び朱肉台１６を備えている。これらは何れも、金属や硬質樹脂により構成されている。
【００１０】
印面部材１１は、印字（図１に示す例では「松下」という印字）が刻印される印面１１１ａを有する、剛体からなる印面台１１１と、この印面台１１１の一端に形成されたネジ部１１１ｂに螺合するネジ部１１２ａが形成された印面台保持部材１１２とからなる。特に印面台１１１は、真鍮，アルミニウム，チタンなどの金属、象牙、水牛または柘植などの剛体により構成される。印面部材１１を印面台１１１と印面台保持部材１１２の２部品から構成し、印面台１１１を必要最小限の大きさとすることで、印面台１１１に高価な材料を使用しても印鑑１自体のコストにはさほど影響しないことになる。また、印面台１１１を印面台保持部材１１２に対して着脱可能に構成することで、印面台１１１を交換すれば複数種類の印面に共用することができる。
【００１１】
印面台保持部材１１２は、中空状に形成されて、一端に上述した印面台１１１がネジ部１１１ｂ，１１２ａにより着脱可能に固定されるとともに、他端には後述する第１スライド用支柱１３１の軸部１３１ａが挿通可能な孔部１１２ｂが形成されている。また、印面台保持部材１１２の孔部１１２ｂの周囲は図２及び図３に示すように、後述する弾性部材１４の一端が当接できる平面を有する。
【００１２】
スライド用支柱１３は、第１スライド用支柱１３１と第２スライド用支柱１３２とから構成され、第１スライド用支柱１３１の軸部１３１ａの一端には、上述した印面台保持部材１１２の孔部１１２ｂより大径の鍔部１３１ｂが形成されている。また、第２スライド用支柱１３２にはネジ部１３２ａが形成され、このネジ部１３２ａは第１スライド用支柱１３１の軸部１３１ａの内部に形成されたネジ部１３１ｃと螺合する。そして、後述する印鑑本体１２の他端に形成された孔部１２３を挟んで、印鑑本体１２の内部に第１スライド用支柱１３１を挿入し、印鑑本体１２の外部から孔部１２３に第２スライド用支柱１３２の軸部１３２ａを挿入し、これらのネジ部１３１ｃ，１３２ａを螺合させることにより、このスライド用支柱１３は印鑑本体１２に対して強固に固定される。
【００１３】
印鑑本体１２の一端には、上述した印面部材１１、第１スライド用支柱１３１及び後述する弾性部材１４を装着及び受容可能な開口部１２１が形成され、内部が中空状の筒状に形成されている。また、印鑑本体１２の他端には、既述したように第２スライド用支柱１３２の軸部１３２ａが挿通できる孔部１２３が形成されている。さらに、印鑑本体１２の一端の外面には、後述するキャップ１５のネジ部１５１と螺合するネジ部１２４が形成されている。
【００１４】
弾性部材１４は圧縮コイルスプリングから構成され、第１スライド用支柱１３１の軸部１３１ａを受容し、その一端は印面台保持部材１１２の孔部１１２ｂの外面の周囲に当接するとともに、他端は印鑑本体１２の内壁１２２に当接する径とされている。この弾性部材１４の弾性力は、使用者の捺印力に加えてさらなる捺印力を付加する機能を司る。
【００１５】
キャップ１５は、一端に形成されたネジ部１５１が印鑑本体１２のネジ部１２４に螺合するとともに、図２に示すように印面台１１１及び印面台保持部材１１２を受容できる中空状に形成されている。また、先端にはネジ部１５２が形成され、このネジ部１５２に、朱肉台１６に形成されたネジ部１６１を螺合することで朱肉台１６がキャップ１５に対して着脱可能とされている。なお、図２に示す１６２が朱肉である。キャップ１５を装着することにより、使用者が誤って印鑑１を落としたりぶつけたりしても印面台１１１自体や印面１１１ａを保護することができる。また、朱肉台１６をキャップ１５に着脱可能に設けておくことで、どこでも手軽に捺印することができる。
【００１６】
このように構成された本実施形態の印鑑１を組み立てるには、まず図１に示す状態から、第１スライド用支柱１３１の軸部１３１ａを印面台保持部材１１２の孔部１１２ｂに通し、さらに第１スライド用支柱１３１の軸部１３１ａに弾性部材１４を通し、さらにまた第１スライド用支柱１３１の軸部１３１ａを印鑑本体１２の開口部１２１から挿入して孔部１２３の周囲に当接させる。これと同時に第２スライド用支柱１３２の軸部１３２ａを印鑑本体１２の孔部１２３に通して、先ほどの第１スライド用支柱１３１のネジ部１３１ｃに螺合させ、きつく締め付ける。これにより、第１スライド用支柱１３１に印面台保持部材１１２と弾性部材１４とが挿入された状態で、当該第１スライド用支柱１３１が印鑑本体１２の中空内に強固に固定されることになる。
【００１７】
そして、所望の印字を刻印した印面台１１１のネジ部１１１ｂを印面台保持部材１１２のネジ部１１２ａにねじ込むことで印鑑本体側が組み立てられる。なお、未使用時や携帯時には、キャップ１５のネジ部１５１を印鑑本体１２のネジ部１２４にねじ込むことで印面台１１１が保護され、使用者が誤って印鑑１を落としても印面台１１を損傷させることがない。組み立てられた状態を図２に示す。
【００１８】
印鑑１を使用する場合には、キャップ１５を印鑑本体１２から取り外すとともに、朱肉台１６をキャップ１５から取り外す。そして、露呈した印面台１１１の印面１１１ａを朱肉台１６の朱肉１６２に押し付けて朱肉を付着させ、所望の紙に印面１１１ａを押し付ける。
【００１９】
このとき、図３に示すように使用者は印鑑本体１２を把持してＸ方向に印鑑１を押し付けるが、この使用者の捺印力に加えて弾性部材１４によるＸ方向の力が捺印力となって印面台１１１に作用する。したがって、小さな力でも大きな力で捺印することができ、捺印マットなどを敷くことなく、均一かつ鮮明な印影を得ることができる。
【００２０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明の実施形態に係る印鑑を示す分解斜視図である。
【図２】本発明の実施形態に係る印鑑の中央縦断面図である。
【図３】本発明の実施形態に係る印鑑の捺印時における中央縦断面図である。
【符号の説明】
１…印鑑
１１…印面部材
１１１…印面台
１１２…印面台保持部材
１２…印鑑本体
１２１…開口部
１２２…内壁
１３…スライド用支柱
１４…弾性部材
１５…キャップ
１６…朱肉台
【図１】
2005007803.tif 000003
【図２】
2005007803.tif 000004
【図３】
2005007803.tif 000005